(57)【特許請求の範囲】
【請求項１】
左右の側板間に、任意の数の棚板を高さ調節可能として設けた棚本体の前面下部に、書籍を平積みするための平台を設け、この平台の天板の後端と、棚本体の背面を覆う背板との間に、棚板部の前端に下方を向く前面板部が連設された底上げ部材を、高さ調節可能として設けたことを特徴とする書籍用陳列棚。
【請求項２】
左右の側板の内面に複数の係合孔を上下方向に並べて穿設し、任意の係合孔に係止した係止具により、棚板及び底上げ部材の各端部を支持するようにし、係止具を係止する係合孔を選択することにより、棚板及び底上げ部材の高さを調節するようにした請求項１記載の書籍用陳列棚。
【請求項３】
底上げ部材を、ほぼ水平の棚板部の前後の端部より前面板部と後面板部とが垂下するほぼ下向きコ字状の断面形状とした請求項１または２記載の書籍用陳列棚。
【請求項４】
底上げ部材における棚板部と前面板部とを、互いに分離可能とした請求項１または２記載の書籍用陳列棚。
【発明の詳細な説明】
【０００１】
【発明の属する技術分野】
本発明は、棚本体の前面下部に、書籍を平積みするための平台を設けた書籍用陳列棚に関する。
【従来の技術】
【０００２】
この種の書籍用陳列棚としては、例えば図１２及び図３に示すようなものがある。
【０００３】
この書籍用陳列棚は、棚本体(30)の前面下部に、書籍(Ｂ)を平積みするための水平な天板(31)を有する平台(32)を設けたものよりなっており、棚本体(30)は、左右１対の側板(33)(33)間に、書籍(Ｂ)が縦にして置かれる任意の数の棚板(34)を高さ調節可能として設け、かつ棚板(34)の背面を、背板(35)により覆ったものよりなっている。
【０００４】
平台(32)の天板(31)の後端部は、棚本体(30)内に進入して、背板(35)に当接している。
【０００５】
天板(31)の後端部上面には、図１３に示すように、平台(32)上に載置した書籍(Ｂ)が最下段の棚板(34)の下方に潜り込み、取り出しにくくなるのを防止するため、左右方向を向く角筒体をなす底上げ部材(36)を載置している。
【０００６】
【発明が解決しようとする課題】
上述のような従来の書籍用陳列棚においては、各棚板(34)の高さを、陳列しようとする書籍(Ｂ)の上下方向の長さに合わせて調節しているが、希望どおりのレイアウトに合致することの方がむしろ稀であり、最上段に載置する書籍(Ｂ)が両側板(33)の上端より上方に突出したり、または最下段の棚板(34)の下方に無駄な空間ができてしまうことの方が多い。
【０００７】
そのため、高さの異なる複数の底上げ部材(36)を用意しておくことが考えられるが、その場合には、使用しない底上げ部材(36)をどこに保管するかという問題が生じる。
【０００８】
本発明は、従来の技術が有する上記のような問題点に鑑み、無駄な空間が生じることなく、各棚板の高さを、陳列しようとする書籍の寸法に合わせて、ある程度自由に設定しうるようにした書籍用陳列棚を提供することを目的としている。
【０００９】
【課題を解決するための手段】
本発明によると、上記課題は次のようにして解決される。
(１) 左右の側板間に、任意の数の棚板を高さ調節可能として設けた棚本体の前面下部に、書籍を平積みするための平台を設け、この平台の天板の後端と、棚本体の背面を覆う背板との間に、棚板部の前端に下方を向く前面板部が連設された底上げ部材を、高さ調節可能として設ける。
【００１０】
(２) 上記(１)項において、左右の側板の内面に複数の係合孔を上下方向に並べて穿設し、任意の係合孔に係止した係止具により、棚板及び底上げ部材の各端部を支持するようにし、係止具を係止する係合孔を選択することにより、棚板及び底上げ部材の高さを調節するようにする。
【００１１】
(３) 上記(１)または(２)項において、底上げ部材を、ほぼ水平の棚板部の前後の端部より前面板部と後面板部とが垂下するほぼ下向きコ字状の断面形状とする。
【００１２】
(４) 上記(１)または(２)項において、底上げ部材における棚板部と前面板部とを、互いに分離可能とする。
【００１３】
【発明の実施の形態】
以下、本発明の実施の形態を、図１〜図１１に基づいて説明する。
図１〜図５に示す本発明の第１の実施形態においては、書籍用陳列棚(１)は、棚本体(２)と、この棚本体(２)の前後に配設された書籍(Ｂ)を平積みするための平台(３)(３)とを備えている。
【００１４】
なお、本書籍用陳列棚(１)は、後述する棚本体(２)の背板(５)を境にして、前後対称に形成されているが、ここでは説明を簡単にするため、前半部の構成のみについて説明し、後半部の構成については、前半部の部材と同一の部材に同一の符号を付すに止め、詳細な説明は省略する。
【００１５】
棚本体(２)は、中空板状の左右１対の側板(４)(４)と、両側板(４)の前後方向の中間部間に設けられて１対の側板(４)同士を接続する背板(５)と、高さ調整手段(６)によって高さ位置調節可能に１対の側板(４)間に設けられた任意の段数の棚板(７)とを備えている。
【００１６】
図１、図４、及び図５に示すように、高さ調節手段(６)は、１対の側板(４)の対向面に、前後２列として、かつ上下方向に等間隔をもって穿設された前後方向に長い複数の係合孔(９)と、この係合孔(９)に選択的に係脱可能な係止具(10)とにより構成されている。
【００１７】
係止具(10)は、係合孔(９)に係合する正面視逆Ｌ字状の係合部(10a)と、この係合部(10a)の下部先端に接続されて、棚板(７)を先端で支持する正面視Ｕ字状の棚板支持部(10b)とを備えている。係合部(10a)の前後方向の長さ(Ｌ１)は、棚板支持部(10b)の前後方向の長さ(Ｌ２)より大に設定され、棚板支持部(10b)に肩部(10c)が形成されている。この肩部(10c)は、係合部(10a)を係合孔(９)に差し込んだとき、側板(４)の内面に当接して、係止具(10)が中空の側板(４)内に落下しないように阻止するストッパの役目をしている。
【００１８】
平台(３)は、平面視コ字状の基台(11)と、基台(11)上に設けられた天板(12)とを備えている。
【００１９】
天板(12)の後端(12a)と棚本体(２)における背板(５)との間には、左右方向を向く底上げ部材(８)が、上記と同様の高さ調節手段(６)により、高さ調節可能として、両側板(４)に装着されている。
【００２０】
底上げ部材(８)は、棚板(７)と同様の作用をするほぼ水平の棚板部(8a)と、その前後の端部から垂下する前面板部(8b)及び後面板部(8c)と、両板部(8b)(8c)の左右の端部の下端部同士を連結するアングル材よりなる連結材(8d)とを備えている。
【００２１】
連結材(8d)の下面外隅部には、高さ調節手段(６)の係止具(10)の棚板支持部(10b)に係合する前後１対の係合孔(8e)が穿設されている。この係合孔(8e)に係止具(10)の棚板支持部(10b)が係合することにより、底上げ部材(８)の前後方向の移動が阻止される。
【００２２】
前面板部(8b)の前面は、棚板部(8a)の前端より垂下して、平台(３)上に平積みした書籍(Ｂ)が棚板(７)の下方空間に潜入するのを阻止する作用をする。
【００２３】
次に、棚本体(２)の棚板(７)及び底上げ部材(８)の組み込み順序を説明する。先ず、最上段に陳列しようとする書籍(Ｂ)の上端を側板(４)の上端にほぼ一致させて、その書籍(Ｂ)の下端の位置を最上段の棚板(７)の位置とし、その位置近傍の前後の係合孔(９)に係止具(10)の係合部(10a)をそれぞれ挿入して係止し、その係合具(10)の棚板支持部(10b)の先端に最上段の棚板(７)の左右の両端を載置して両側板(４)に支持させる。
【００２４】
その後、下段の棚板(７)を、そこに載置しようとする書籍の高さに合わせて、上記と同様にして、側板(４)に順次組み込んでいき、組み込み中の最下段の棚板(７)と平台(３)の天板(12)との間隔が所望の書籍の高さより小になったときは、最下段の棚板(７)の代わりに、底上げ部材(８)の棚板部(8a)の上面がその位置にくるように、底上げ部材(８)の底部両端を係止具(10)の棚板支持部(10b)に載置し、底上げ部材(８)を左右１対の側板(４)に支持させる。
【００２５】
平台(３)は、棚本体(２)と左右方向の長さを同一とし、かつ棚本体(２)の前部に密着して配設されているため、平台(３)の天板(12)の後端(12a)と、棚本体(２)の背板(５)の前面(5a)との間に棚板(７)の奥行き分の隙間が生じている。この隙間があるため、平台(３)と棚本体(２)の背板(５)との間に底上げ部材(８)を組み込むことができる。
【００２６】
以上のように、書籍用陳列棚(１)は、棚本体(２)の上端に書籍の上端を揃えて、最上段の棚板(７)から組み込むことができるため、見栄えが良くなる。
【００２７】
図６、及び図７に示す底上げ部材(13)は、前面板部(14)とこの前面板部(14)の上端に一体に形成された棚板部(15)とにより側面視Ｌ字状に形成されており、棚板部(15)の左右の両端部が係止具(10)によって１対の側板(４)に支持されるようになっている。
前面板部(14)は、係止具(10)に当接しないように、棚板部(15)の厚さより薄くなっている。
【００２８】
底上げ部材(13)は、棚板部(15)の厚みを他の棚板(７)と厚みをほぼ同一としてあるため、底上げ部材(13)を支持する係止具(10)を他の棚板(７)と同じ間隔で係合孔(９)に装着することができる。
【００２９】
図８、及び図９に示す底上げ部材(16)は、前面板部(17)と、この前面板部(17)と分離可能な別体として形成されて、その上に載置される棚板部(18)とを備え、側面視Ｌ字状に形成されている。前面板部(17)との後面の上部と下部とには、係止具(10)に支持される側面視Ｌ字状の係合突条(19)がそれぞれ突設されている。この１対の係合突条(19)の上下間隔は、係合孔(９)の数ピッチ分に相当する。また、係合突条(19)は、前面板部(17)の左右方向の全長に沿って形成されている。
【００３０】
前面板部(17)は、側板(４)の前側の係合孔(９)に装着された上下１対の係止具(10)の棚板支持部(10b)の先端(10d)に、係合突条(19)の左右両端部を載置して側板(４)に支持される。
【００３１】
棚板部(18)は、前縁部を前面板部(17)の上端に載置し、後部の左右両端を側板(４)の後部の係合孔(９)に装着された係止具(10)の棚板支持部(10b)の先端に載置して、側板(４)に支持される。従って、底上げ部材(７)は、都合６個の係止具(10)によって両側板(４)に支持される。
【００３２】
図１０、及び図１１に示す底上げ部材(20)は、前面板部(21)と、この前面板部(21)上に載置される棚板部(22)とを備えて、側面視Ｌ字状に形成されている。前面板部(21)の後面の４角に係止具(10)に支持されるフック片(23)がそれぞれ突設されている。この１対のフック片(23)の上下間隔は、係合孔(９)の数ピッチ分に相当する。
【００３３】
前面板部(21)は、側板(４)の前側の係合孔(９)に装着された上下１対の係止具(10)の棚板支持部(10b)のＵ字状の部分に、フック片(23)を上方より係合させて側板(４)に支持される。
【００３４】
棚板部(22)は、前縁部を前面板部(21)の上端に載置し、後部の左右両端を側板(４)の後部の係合孔(９)に装着された係止具(10)の棚板支持部(10b)の先端に載置して側板(４)に支持される。従って、底上げ部材(20)は、都合６個の係止具(10)によって側板(４)に支持される。
【００３５】
なお、以上の底上げ部材(８)(13)(16)(20)の上下方向の長さ(高さＨ)が棚本体(２)に置かれる書籍(Ｂ)の中、最も高さの高い書籍の高さより大としておくのがよい。そのようにすると、底上げ部材(８)(13)(16)(20)の下縁は、常時、平台(３)の天板(12)の上面より下側に位置して、底上げ部材(８)(13)(16)(20)の下縁と天板(12)の上面との間に隙間が生じるようなことがなく、平台(３)に平積みした書籍が底上げ部材(８)(13)(16)(20)の下方から、棚本体(２)内に落下するようなことがない。
【００３６】
なお、以上説明した書籍用陳列棚(１)は、棚本体(２)の背板(５)を境にして、前後対象に形成されているが、背板(５)より後方の部分を省略してもよい。
【００３７】
請求項１記載の発明によると、最下段の棚板の下方や、最上段の棚板の上方等に無駄な空間が生じることなく、各棚板の高さを、そこに陳列しようとする書籍の寸法に合わせて、ある程度自由に設定することができる。
【００３８】
例えば、棚本体の上端に書籍の上端を揃えて、最上段の棚板から、そこに陳列しようとする書籍の寸法に合わせて、順次組み込むことができるため、見栄えが良くなるとともに、最上段の書籍を確実に保護することができる。
【００３９】
請求項２記載の発明によると、係合孔に対して係止具を容易に着脱することができ、棚板の高さ調節が容易である。
【００４０】
請求項３記載の発明によると、底上げ部材を、金属板をプレス加工して、簡単に製造することができる。
【００４１】
請求項４記載の発明によると、底上げ部材の棚板部と前面板部とを互いに分離して、側板に個々に取付けることができるので、組み付けが容易である。
【図面の簡単な説明】
【図１】本発明の一実施形態の一部分解斜視図である。
【図２】同じく、書籍用陳列棚の使用状態の斜視図である。
【図３】図２のIII−III線に沿う断面図である。
【図４】同じく、係止具の斜視図である。
【図５】同じく、係止具を係合孔に装着したときの側板の縦断正面図である。
【図６】第２の実施形態の底上げ部材を側板に支持させた状態を示す断面図である。
【図７】図６の底上げ部材と係止具の斜視図である。
【図８】第３の実施形態の底上げ部材を側板に支持させた状態を示す断面図である。
【図９】図８の底上げ部材と係止具の斜視図である。
【図１０】第４の実施形態の底上げ部材を側板に支持させた状態を示す断面図である。
【図１１】図１０の底上げ部材と係止具の斜視図である。
【図１２】従来の書籍用陳列棚の一部分解斜視図である。
【図１３】図１２の書籍用陳列棚の中央縦断側面図である。
【符号の説明】
(１)書籍用陳列棚
(２)棚本体
(３)平台
(４)側板
(５)背板
(5a)前面
(６)高さ調整手段
(７)棚板
(８)底上げ部材
(8a)棚板部
(8b)前面板部
(8c)後面板部
(９)係合孔
(10)係止具
(10a)係合部
(10b)棚板支持部
(10c)肩部
(10d)先端
(11)基台
(12)天板
(12a)後端
(13)底上げ部材
(14)前面板部
(15)棚板部
(16)底上げ部材
(17)前面板部
(18)棚板部
(19)係合突条
(20)底上げ部材
(21)前面板部
(22)棚板部
(23)フック片
【図１】
0003857443.tif 000002
【図２】
0003857443.tif 000003
【図３】
0003857443.tif 000004
【図４】
0003857443.tif 000005
【図５】
0003857443.tif 000006
【図６】
0003857443.tif 000007
【図７】
0003857443.tif 000008
【図８】
0003857443.tif 000009
【図９】
0003857443.tif 000010
【図１０】
0003857443.tif 000011
【図１１】
0003857443.tif 000012
【図１２】
0003857443.tif 000013
【図１３】
0003857443.tif 000014